(57)【要約】      （修正有）【課題】上衣の胴回りを調節するにあたり、腹部輪郭に沿った上衣輪郭の調節を立体的に行うことができるマチ付き上衣を提供する。【解決手段】上衣１は、上衣１の裾帯５において、裾帯５の一部を裾帯５の他部に適当な幅で重ねて固定可能な胴回り調節部６と、前身頃２と後身頃３の間であって胴回り調節部６の上方に形成される、上端を頂角９ａとし下端を底辺９ｂとする三角形状のマチ部９とを有する。【選択図】図１
0003229139.tif 000002
【実用新案登録請求の範囲】
【請求項１】
胴回りの距離を調整可能な上衣であって、前記上衣の裾帯において、前記裾帯の一部を前記裾帯の他部に適当な幅で重ねて固定可能な胴回り調節部を有し、前記胴回り調節部の上方であって、前記上衣の前身頃と後見頃の間に、上端を頂角とし下端を底辺とした三角形形状を有するマチ部を挿入したことを特徴とするマチ付き上衣。
【請求項２】
請求項１記載のマチ付き上衣であって、前記マチ部において、前記頂角を構成する二辺の長さは等しく、二等辺三角形であることを特徴とするマチ付き上衣。
【請求項３】
請求項１または２のいずれか記載のマチ付き上衣であって、前記前身頃の生地と前記後身見頃の生地とを合わせる接合線は直線状となり、前記前身頃の生地と前記後身頃の生地のそれぞれの裾は前記接合線の下端を頂点として優角を成すように構成され、前記マチ部は前記接合線の下部を広げて、前記前身頃と前記後身見頃との間に挿入されていることを特徴とするマチ付き上衣。
【請求項４】
請求項１乃至３のいずれか記載のマチ付き上衣であって、前記胴回り調節部は前記裾帯の一部に形成された係合部と前記裾帯の他部に形成された複数の被係合部とを有し、前記係合部は複数の前記被係合部から選択された一つに係合することで、前記上衣の胴回り長さを複数段階で調節可能であることを特徴とするマチ付き上衣。
【請求項５】
請求項４記載のマチ付き上衣であって、前記係合部はボタンであり、前記被係合部はボタン穴であることを特徴とするマチ付き上衣。
【請求項６】
請求項１乃至３のいずれか記載のマチ付き上衣であって、前記胴回り調節部はループ面とフック面とにより構成される面ファスナーを有し、前記裾帯の前記他部には所定の幅を有するループ面を、前記裾帯の端部には前記ループ面に係合するフック面とを有し、前記フック面を複数の前記ループ面の任意の位置に係合させることで、前記上衣の胴回り長さを無段階で調節可能であることを特徴とするマチ付き上衣。
【考案の詳細な説明】
【技術分野】
【０００１】
本考案は、胴回りのサイズを調節可能な上衣であって、上衣の両側面に設けたマチ部を展開させることにより腹部の胴回りを伸縮させることができる上衣に関する。
【背景技術】
【０００２】
上衣は、装着者が作業現場において身体を動かしやすいように、ゆったりとした形状で作られる。特に、上半身の屈伸や腕の上げ下ろしを円滑に行うために、前身頃と後身頃の縫合部に帯状のマチを形成して、その伸縮を許容する構造が採られる場合がある。
【０００３】
以下の文献には、装着者の身体サイズに合わせて、胴回りを調節する構造が開示される。この上衣には、帯状のマチ部の両端同士をオープンファスナーで係合することにより、胴回りを細く絞ることができる構造が開示されている。なお、同特許公開公報の図１において、マチ部が三角形状に描かれているが、途中まで閉じたファスナーがマチ部の一部を畳んで、マチ部の下方部分が三角形に表れているのみである。
【先行技術文献】
【特許文献】
【０００４】
【特許文献１】特開2015-190091号
【０００５】
ここで、上記特許文献１のマチ部は上衣の前身頃と後身頃と間、上衣の両側面に取り付けられており、両側にマチ部を閉じ、または開放するファスナーを取り付けた帯状の形状を有する。
【０００６】
また、特許文献１では、マチ部構造の他に、腰部において胴回りを絞るために、固定手段たる面ファスナーが背面に取り付けられており、マチ部を開いた状態、あるいは閉じた状態で胴回りを絞る機能も開示されている。
【考案の概要】
【考案が解決しようとする課題】
【０００７】
しかしながら、胴回りを伸縮させる前記固定部は、上衣の背面、裾部より高い位置に付けられており、マチ部を重ねるように胴回りを絞ることはできない。また、マチ部が長方形のため、これをファスナーで縮めたとしても、腹囲がファスナーの距離だけ水平方向に均一に縮むので、腹部の張り出し輪郭線に追従しないため、フィット感に乏しい胴回り調節機構となる。
【０００８】
そこで、本考案の目的は、マチ部を縮め、あるいは開放するように調節機構により胴回りを増減させる場合も、腹部の張り出し輪郭線に追従させて高いフィット感を与えるマチ付き上衣を提供することにある。
【課題を解決するための手段】
【０００９】
上記目的を達成するため、本考案の上衣は、胴回りの距離を調整可能な上衣であって、前記上衣の裾帯において、前記裾帯の一部を前記裾帯の他部に適当な幅で重ねて固定可能な胴回り調節部を有し、前記胴回り調節部の上方であって、前記上衣の前身頃と後見頃の間に、上端を頂角とし下端を底辺とした三角形形状を有するマチ部を挿入したことを特徴とする。
【考案の効果】
【００１０】
本考案の上衣によれば、マチ部を三角形に形成し、かつ胴回り調節部を下方に広がる同マチ部の下側に取り付けることで、調節方向をマチ部において上方の頂角を中心に扇形方向に変換することができ、腹部輪郭に沿った上衣輪郭の調節を立体的に行うことができる。
【図面の簡単な説明】
【００１１】
【図１】本考案の第一実施形態の上衣の側面図。
【図２】同実施形態の上衣の作動の説明図。
【図３】同実施形態のマチ部構造の製造過程の説明図。
【図４】本考案の第二実施形態の上衣の部分拡大側面図。
【考案を実施するための形態】
【００１２】
本考案の第一実施形態を図１及び図２を用いて説明する。図１は同実施形態の上衣の側面図、図２(ａ)乃至(ｃ)は同上衣の調節部の機能を説明する説明図である。
【００１３】
図１に示すように、本考案の上衣１は、襟１ａと袖１ｂを有しており、前身頃２と後身頃３とを左右側面の縫合線４で縫い合わせている。上衣１の下端は所定の幅を有するベルト状の裾帯５を形成している。
【００１４】
裾帯５の両側は、裾帯５の一部に取り付けられる前方のフラップ６ａを、後方の基面部６ｂに対して所定幅を重ねることで、上衣１の胴回りの長さを調節することができる調節部６を有している。前方のフラップ６ａの裏面には雄ファスナーボタン７が取り付けられており、後方の基面部６ｂの表面には所定間隔を置いて３つの雌ファスナーボタン８ａ乃至８ｃが取り付けられている。
【００１５】
そして、いずれかの雌ファスナーボタン８ａ乃至８ｃのいずれかを選択して、雄ファスナーボタン７を係合させることにより、裾帯５の長さを調節することができる。雌ファスナーボタン８ａ乃至８ｂのそれぞれの中心間の距離は3.5cmに設定している。
【００１６】
左右それぞれの調節部６の上方には、前身頃２と後身頃３との間に、上端を頂角９ａとした三角形状を有するマチ部９を縫製しており、マチ部９は、下端を底辺９ｂとして、調節部６に近づくほど距離が離れるテーパー形状を有している。前身頃２との縫合線４ａと、後身頃３との縫合線４ｂは等しい長さを有しており、マチ部９は二等辺三角形状を有している。
【００１７】
マチ部９において、縫合線４ａ、４ｂが頂角９ａにおいてなす角度θは30度に設定し、また、マチ部９の高さｈは約6cmに設定しており、マチ部９の底辺９ｂの長さを約3.5cmとしている。
【００１８】
なお、マチ部９の下側には、マチ部９に連続する、四角形の裏マチ部10があり、フラップ６ａにより覆われ、マチ部９が折りたたまれる際には、一緒に折りたたまれて、調節部６による胴回りの調節を行う。
【００１９】
次に図２により、本実施形態の上衣の胴回り調節を説明する。同図(ａ)は、雄ファスナーボタン７を、上衣１正面から最も遠い雌ファスナーボタン８ａに取り付けた状態を示す。マチ部９の縫合線４ａ、４ｂが一致し、マチ部９が二つに折り重なって隠れている。この状態にあっては、裾帯５における胴回りを最小にすることができ、裾帯５の引っ張り力Ｆ１をマチ部９の頂角９ａを中心に傾斜する縫合線４ａ、４ｂに直行する力Ｆ２に変換するため、上衣１の腹部を下方に大きく絞ることができて、立体的に湾曲する腹部の張り出し輪郭Ｘａとすることができる。
【００２０】
同図(ｂ)は、雄ファスナーボタン７を、中間の雌ファスナーボタン８ｂに取り付けた状態を示す。縫合線４ａ，４ｂが重なって垂直となっている。後述する図３で説明するように、縫合線４は、間にマチ部９を挿入しない状態では、前身頃２、後身頃３がよじれることなく平面状になるため、この状態にあっては、縫合線４がマチ部９の両側の縫合線４ａ、４ｂを含めて垂直方向に伸び、かかる前身頃２を変形させる、ねじる力は発生していない。
【００２１】
同図(ｃ)は、雄ファスナーボタン７を、上衣１正面から最も近い雌ファスナーボタン８ｃに取り付けた状態を示す。マチ部９は完全に展開され、縫合線４ａは、頂角９ａにおいて、他方の縫合線４ｂとの間で30度の角度を形成する。この状態にあっては、同図(ａ)に比べて裾帯５が7cm伸張し、左右の調節部６を使えば胴回りは14cm広がることになる。裾帯５が上衣１を緩ませる力Ｆ３は、傾斜する縫合線４ａに直行する力Ｆ４に変換される。上述の同図(ｂ)に示すように、本来、前身頃２と後身頃３は直線状に接するところ、両者間に三角形のマチ部９が挿入されているため、上衣１の腹部を斜め上方に広げるとともに余分な生地が上衣１の幅方向にも膨らむこととなって立体的に変形し、上衣１の腹部を輪郭Ｘｃに変化させることができる。
【００２２】
以上のように、本実施形態のマチ付き上衣１によれば、同図(ｂ)の状態を基準として、同図(ｃ)で+７cm、同図(ａ)で-7cmで増減させることができ、装着者の体系にフィットさせることができる。特に、調節部６の上方に配置した三角形のマチ部９により、頂角９ａを中心に底辺９ｂ底辺側に大きく調節されるために、腹部の胴回りの変形を立体的に行うことができ、装着者の腹部の輪郭により円滑にフィットさせることができる。
【００２３】
図３を用いて、本実施形態のマチ部構造の製造過程を説明する。まず同図(ａ)に示すように、前身頃２と後身頃３はそれぞれ裾帯５を形成した状態で準備する。前身頃２の裾帯５には、フラップ６ａを取り付けている。
【００２４】
同図(ｂ)に示すように、下端から所定距離のＰまでを除き、縫合前身頃２と後身頃３とを接合線Ｌをもって縫合する。この状態において、接合した状態において、前身頃２と後身頃３が下端でなす（裾帯５下端がなす)角度φは180度よりも大きい、優角となるように設定されている。
【００２５】
同図(ｃ)に示すように、接合線Ｌの縫合されていない下部を開き、この部分に三角形のマチ部９とその下方の四角形の裏マチ部10とを一体としたものを、差し込んで縫製している。マチ部９の頂点９ａを接合線Ｌの位置Ｐに合わせ、両側辺を前身頃２、後身頃３に縫合することで、縫合線４ａ，４ｂとしている。また、裏マチ部10は、フラップ６ａの裏に重ねるように、両側を前身頃２、後身頃３の裾帯５にそれぞれ縫合する。
【００２６】
そして、同図(ｄ)に示すように、後身頃３の裾帯５に３つの雌ファスナーボタン８ａ乃至８ｃを取り付け、フラップ６ａの裏面に雄ファスナー７を取り付けることで、調整部６を構成する。なお、雌ファスナーボタン８ｂの位置は図２（ｂ）に示すように、雄ファスナーボタン７をこれに係合した際、接合線Ｌが垂直となるように位置決めする。
【００２７】
以上のように、本実施形態によれば、本来直線状に接合する前身頃２と後身頃３との間に三角形のマチ部９を挿入する構造としたので、マチ部９の周囲において上衣１は立体的に変形し、マチ部９を広げた場合には上衣１の前後方向のみならず幅方向にも余裕が出て、より装着者にフィットした変形を与えることができる。また、マチ部９を畳んだ場合は、立体的な変形が解消し、上衣１にすっきりとした外観を与えることができる。
【００２８】
次に、本考案の第２実施形態を、図４により説明する。同図に示すように、第１実施形態と同じ構造は、同一の符号を付けて説明を省略する。
【００２９】
本実施形態のマチ付き上衣11は、調節部16はフック面16ａとループ面16ｂとから構成される面ファスナーにより構成されている。フック面16ａは調節部６前方のフラップ部６ｂの裏面に固定されており、一方、所定幅を有するループ面16ｂは調節部６後方の基面部６ｂの表面に固定されている。
【００３０】
なお、本実施形態では、第１実施形態で設けた、フラップ部６下の裏マチ部10（図１参照）を有さず、調節部６において、裾帯５は分断されている。
【００３１】
上記の構造によれば、フック面16ａをループ面16ｂに係合させることで、フラップ部６ａを基面部６ｂの任意の位置で固定することができ、無段階で胴回りの長さを調節することができる。この際、三角形のマチ部９の頂角９ａ近傍では胴回りが小さく変化し、調節部16近傍では胴回りが大きく変化するために、上衣11の胴回りは立体的に扇形に変形するため、装着者の体系により円滑にフィットさせることは第１実施形態と同様である。
【００３２】
以上、本考案の実施形態を説明したが、請求項に記載された範囲で、他の構成を選択することができる。例えば、雌ファスナーボタン８の数は３つに限られることなく２あるいは４以上の数とすることもでき、ファスナーボタンの代わりにボタンとボタン穴で胴回りの調整部６を形成してもよい。
【００３３】
また、胴回り長さの調節可能範囲は、マチ部９の頂角９ａの角度を適宜変更でき、頂角９ａの角度θは15度から45度の任意の角度で設定することができる。また、上衣１のサイズと腹部の張り出しの高さを考慮して、マチ部９の高さｈは自由に設定できる。
【００３４】
さらに、第１及び第２実施形態のマチ部９は二等辺三角形としたが、絞り、或いは緩めたい方向(力Ｆ２、Ｆ３、Ｆ４)を変更するために、頂角９ａを構成する二辺の傾斜角度は自由に設定することができる。例えば、後方の一辺である縫合線４ｂを垂直にして、立体的な変形を前身頃２だけに生じさせることもできる。
【符号の説明】
【００３５】
１  上衣
２  前身頃
３  後身頃
４  縫合線
５  裾帯
６  (胴回り)調節部
７  雄ファスナーボタン(係合部)
８  雌ファスナーボタン(非係合部)
９  (三角形の)マチ部
10  (長方形の)裏マチ部
L  前身頃と後身頃の接合線
Xa，Xb, Xc 腹部の張り出し輪郭
【図１】
0003229139.tif 000003
【図２】
0003229139.tif 000004
【図３】
0003229139.tif 000005
【図４】
0003229139.tif 000006
【手続補正書】
【提出日】令和2年8月31日(2020.8.31)
【手続補正１】
【補正対象書類名】実用新案登録請求の範囲
【補正対象項目名】全文
【補正方法】変更
【補正の内容】
【実用新案登録請求の範囲】
【請求項１】
胴回りの距離を調整可能な上衣であって、前記上衣の裾帯において、前記裾帯の一部を前記裾帯の他部に適当な幅で重ねて固定可能な胴回り調節部を有し、前記胴回り調節部の上方であって、前記上衣の前身頃と後身頃の間に、上端を頂角とし下端を底辺とした三角形形状を有するマチ部を挿入したことを特徴とするマチ付き上衣。
【請求項２】
請求項１記載のマチ付き上衣であって、前記マチ部において、前記頂角を構成する二辺の長さは等しく、二等辺三角形であることを特徴とするマチ付き上衣。
【請求項３】
請求項１または２のいずれか記載のマチ付き上衣であって、前記前身頃の生地と前記後身頃の生地とを合わせる接合線は直線状となり、前記前身頃の生地と前記後身頃の生地のそれぞれの裾は前記接合線の下端を頂点として優角を成すように構成され、前記マチ部は前記接合線の下部を広げて、前記前身頃と前記後身頃との間に挿入されていることを特徴とするマチ付き上衣。
【請求項４】
請求項１乃至３のいずれか記載のマチ付き上衣であって、前記胴回り調節部は前記裾帯の一部に形成された係合部と前記裾帯の他部に形成された複数の被係合部とを有し、前記係合部は複数の前記被係合部から選択された一つに係合することで、前記上衣の胴回り長さを複数段階で調節可能であることを特徴とするマチ付き上衣。
【請求項５】
請求項４記載のマチ付き上衣であって、前記係合部はボタンであり、前記被係合部はボタン穴であることを特徴とするマチ付き上衣。
【請求項６】
請求項１乃至３のいずれか記載のマチ付き上衣であって、前記胴回り調節部はループ面とフック面とにより構成される面ファスナーを有し、前記裾帯の前記他部には所定の幅を有するループ面を、前記裾帯の端部には前記ループ面に係合するフック面とを有し、前記フック面を複数の前記ループ面の任意の位置に係合させることで、前記上衣の胴回り長さを無段階で調節可能であることを特徴とするマチ付き上衣。
【手続補正２】
【補正対象書類名】明細書
【補正対象項目名】０００９
【補正方法】変更
【補正の内容】
【０００９】  上記目的を達成するため、本考案の上衣は、胴回りの距離を調整可能な上衣であって、前記上衣の裾帯において、前記裾帯の一部を前記裾帯の他部に適当な幅で重ねて固定可能な胴回り調節部を有し、前記胴回り調節部の上方であって、前記上衣の前身頃と後身頃の間に、上端を頂角とし下端を底辺とした三角形形状を有するマチ部を挿入したことを特徴とする。